(57)【要約】【課題】バッテリの放充電状態を直感的に認識することができる車両用表示装置を提供する。【解決手段】バッテリの電力で車両を走行させ、および回生ブレーキによりバッテリに充電する電力を発電する電動機を備える車両に設けられる車両用表示装置である。電動機が車両を走行させている場合の電動機の動力状態の値を最小値から最大値の範囲で示す動力状態表示部３０と、電動機が電力を発電している場合の電動機の発電状態の値を最小値から最大値の範囲で示す発電状態表示部４０と、バッテリの残量状態の値を最小値から最大値の範囲で示す残量状態表示部５０と、動力状態の値または発電状態の値を指示する一の指針１２と、を備える。動力状態表示部３０の最小値３１ａ、３２ａと発電状態表示部４０の最小値４２ａとは、連続して配置されており、発電状態表示部４０の最大値４２ｂと残量状態表示部５０の最小値５２ａ、５３ａとは、連続して配置されている。【選択図】図２
2019038452.tif 000002
【特許請求の範囲】
【請求項１】
バッテリの電力で車両を走行させ、および回生ブレーキにより前記バッテリに充電する電力を発電する電動機を備える車両に設けられる車両用表示装置であって、
前記電動機が前記車両を走行させている場合の前記電動機の動力状態の値を最小値から最大値の範囲で示す動力状態表示部と、
前記電動機が電力を発電している場合の前記電動機の発電状態の値を最小値から最大値の範囲で示す発電状態表示部と、
前記バッテリの残量状態の値を最小値から最大値の範囲で示す残量状態表示部と、
前記動力状態の値または前記発電状態の値を指示する一の指針と、を備え、
前記動力状態表示部の前記最小値と前記発電状態表示部の前記最小値とは、連続して配置されており、
前記発電状態表示部の前記最大値と前記残量状態表示部の前記最小値とは、連続して配置されている、車両用表示装置。
【請求項２】
前記指針が前記動力状態の値を指示している場合に前記残量状態表示部から前記発電状態表示部への方向の流れを示し、前記指針が前記発電状態の値を指示している場合に前記発電状態表示部から前記残量状態表示部への方向の流れを示す放充電方向表示部をさらに備える請求項１記載の車両用表示装置。
【請求項３】
前記放充電方向表示部は、前記発電状態表示部の最大値と前記残量状態表示部の最小値との間に設けられる請求項２記載の車両用表示装置。
【請求項４】
前記放充電方向表示部は、前記残量状態表示部に重畳して設けられる請求項２記載の車両用表示装置。
【請求項５】
前記動力状態表示部、前記発電状態表示部、および前記残量状態表示部は、同一円周に沿って配置された請求項１から３のいずれか一項記載の車両用表示装置。
【発明の詳細な説明】
【技術分野】
【０００１】
本発明は、車両に搭載される表示装置に関する。
【背景技術】
【０００２】
自動車やオートバイなどの車両には、速度計などの指針式の計器類や、必要な情報をデジタル表示する液晶表示装置を備える表示装置が搭載されている。例えば、電動機の動力を利用して走行する電気自動車やハイブリッド自動車においては、表示装置は、電動機が電力を利用し車両を走行させている場合の動力の状態（動力状態）と、回生ブレーキにより電動機が発電機として作動し発電している場合の発電の状態（発電状態）を連続的に示すようになっている（例えば特許文献１参照）。
【先行技術文献】
【特許文献】
【０００３】
【特許文献１】特開２０１１−２１３３１１号公報
【発明の概要】
【発明が解決しようとする課題】
【０００４】
上述した電気自動車やハイブリッド自動車に設けられる表示装置は、バッテリの残量の状態も併せて示すようになっている。しかし、従来の表示装置においては、バッテリが充電している状態なのか、放電している状態なのかを直感的にユーザに認識させることについて、バッテリの残量状態の表示と、動力状態および発電状態の表示との関係において改善の余地があった。
【０００５】
本発明はこのような事情を考慮してなされたもので、バッテリの放充電状態を直感的に認識することができる車両用表示装置を提供することを目的とする。
【課題を解決するための手段】
【０００６】
本発明に係る車両用表示装置は、上述した課題を解決するために、バッテリの電力で車両を走行させ、および回生ブレーキにより前記バッテリに充電する電力を発電する電動機を備える車両に設けられる車両用表示装置であって、前記電動機が前記車両を走行させている場合の前記電動機の動力状態の値を最小値から最大値の範囲で示す動力状態表示部と、前記電動機が電力を発電している場合の前記電動機の発電状態の値を最小値から最大値の範囲で示す発電状態表示部と、前記バッテリの残量状態の値を最小値から最大値の範囲で示す残量状態表示部と、
前記動力状態の値または前記発電状態の値を指示する一の指針と、を備え、前記動力状態表示部の前記最小値と前記発電状態表示部の前記最小値とは、連続して配置されており、前記発電状態表示部の前記最大値と前記残量状態表示部の前記最小値とは、連続して配置されている。
【発明の効果】
【０００７】
本発明に係る車両用表示装置においては、バッテリの放充電状態を直感的に認識することができる。
【図面の簡単な説明】
【０００８】
【図１】本発明に係る車両用表示装置の一実施形態を示すブロック図。
【図２】表示器の表示例を示す説明図。
【図３】表示器の他の表示例を示す説明図。
【図４】表示器のさらに他の表示例を示す説明図。
【発明を実施するための形態】
【０００９】
本発明に係る車両用表示装置の実施形態を添付図面に基づいて説明する。本発明に係る車両用表示装置は、バッテリの電力で車両を走行させ、および回生ブレーキによりバッテリに充電する電力を発電する電動機を備える車両に搭載される。例えば、車両用表示装置は、電動機の動力を利用して走行する電気自動車や、電動機およびガソリンからなる燃料を用いた内燃機関の動力を利用して走行するハイブリッド自動車に搭載される。本実施形態においては、本発明に係る車両用表示装置が、電気自動車の車両用表示装置として適用された実施の形態について添付図面を用いて説明する。
【００１０】
図１は、本発明に係る車両用表示装置の一実施形態を示すブロック図である。
【００１１】
車両用表示装置１（表示装置１）は、表示器２と、入力装置３と、表示制御装置４と、を有している。
【００１２】
表示器２は、車両速度や走行距離、電動機が車両を走行させている場合の電動機の動力状態、電動機が電力を発電している場合の電動機の発電状態、バッテリの残量、警報などの車両に関する情報を、表示制御装置４からの制御信号に基づいて表示する。表示器２は、表示パネル１０と、指針式表示部１１とを有している。表示パネル１０は、透過および不透過を切り換えて表示像を形成する、例えば発光ダイオードなどの光源からなるバックライト１４を備えた液晶表示パネルである。指針式表示部１１（機械式表示部）は、指針軸を軸芯として回転する指針１２（図２）により、表示板１３に表示された目盛や数値などの指標を指示する。
【００１３】
入力装置３は、表示装置１が表示する積算走行距離や区間走行距離などを切り替え表示するためのトリップスイッチである。入力装置３は、例えばユーザの押圧操作により入力された操作信号を表示制御装置４へ出力する。
【００１４】
表示制御装置４は、マイクロプロセッサ、マイクロコントローラ、集積回路などであり、所定の処理を実行する。また、表示制御装置４は、ＲＡＭ（Random Access Memory）、ＲＯＭ（Read Only Memory）、不揮発性メモリなどであり、プログラムやデータを記憶する記憶部１５を有している。また、表示制御装置４は、ＣＡＮ（Controller Area Network）バス２０を介して、バッテリ制御装置２１や、メインスイッチユニット２２、その他のＥＣＵ（Electronic Control Ｕnit）２３などと通信し、各部から各種センサに基づく車両の情報を入力する。表示制御装置４は、メインスイッチユニット２２のメインスイッチ（起動スイッチ）がオンされることによって表示器２を起動させる。その後、表示制御装置４は、得られた信号および情報に基づいて制御信号を生成し出力することにより、表示器２を制御する。本実施形態においては、表示制御装置４は、特に、バッテリ制御装置２１から送信されるバッテリ残量（蓄電量）や、対応するＥＣＵ２３から送信される発電機駆動電力、バッテリ電流値などに基づいて、表示器２を制御する。
【００１５】
このような本実施形態における表示装置１は、電動機が車両を走行させている場合の電動機の動力状態、電動機が電力を発電している場合の電動機の発電状態、バッテリの残量状態に関する情報を介して、バッテリの放充電状態を直感的に認識することができる。以下、具体的に説明する。
【００１６】
図２は、表示器２の表示例を示す説明図である。
【００１７】
表示装置１は、動力状態表示部３０と、発電状態表示部４０と、残量状態表示部５０と、放充電方向表示部６０と、を有している。動力状態表示部３０、発電状態表示部４０、および残量状態表示部５０は、同一円周に沿って配置されている。動力状態表示部３０および発電状態表示部４０は、例えば、表示板１３が表示パネル１０で実現された指針式表示部１１である。残量状態表示部５０および放充電方向表示部６０は、例えば表示パネル１０で実現されている。
【００１８】
動力状態表示部３０は、電動機が車両を走行させている場合の電動機の動力状態の値を最小値から最大値の範囲で示す。動力状態は、例えば、バッテリから発電機への出力電力量の度合いである。動力状態表示部３０は、最小値を０％、最大値を１００％として表される数値３１と、この数値に対応して所定数（図２においては１１個）刻まれた円周上の目盛３２と、を有している。数値３１ａである０および目盛３２ａは最小値を示し、数値３１ｂである１００および目盛３２ｂは最大値を示す。動力状態の値は、この数値３１および円周上に設けられた目盛３２を指針１２が指示することにより示される。
【００１９】
発電状態表示部４０は、電動機が電力を発電している場合の電動機の発電状態の値を最小値から最大値の範囲で示す。発電状態は、例えば、回生ブレーキ等により発電された発電量の度合いである。発電状態表示部４０は、最小値から最大値までが所定数（図２においては６個）で刻まれた円周上の目盛４２を有している。目盛４２ａは最小値を示し、目盛４２ｂは最大値を示す。発電状態の値は、この目盛４２を指針１２が指示することにより示される。本実施形態においては、目盛４２ａは動力状態表示部３０の最小値を示す目盛３２ａと共通の目盛である。
【００２０】
残量状態表示部５０は、バッテリの残量状態の値を最小値から最大値の範囲で示す。残量状態表示部５０は、バッテリの残量がない状態をＥ（Empty）として表す記号５３ａ、バッテリ残量が満タンである状態をＦ（Full）として表す記号５３ｂと、この記号５３ａ、５３ｂに対応して所定数（図２においては７個）刻まれた円周上の目盛５２と、を有している。記号５３ａであるＥおよび目盛５２ａは最小値を示し、記号５３ｂであるＦおよび目盛５２ｂは最大値を示す。残量状態の値は、記号５３ａであるＥを始点とし、バッテリ残量に対応する目盛５２を終点としてバー５４の長さで示される。
【００２１】
動力状態表示部３０の最小値と、発電状態表示部４０の最小値とは、連続して配置されている。すなわち、動力状態表示部３０の数値３１ａおよび目盛３２ａ側と、発電状態表示部４０の目盛４２ａ側とは、連続して配置されている。これにより、動力状態の値および発電状態の値は、一の指針１２で連続的に指示される。
【００２２】
また、発電状態表示部４０の最大値と、残量状態表示部５０の最小値とは、連続して配置されている。すなわち、発電状態表示部４０の目盛４２ｂ側と、残量状態表示部５０の記号５３ａおよび目盛５２ａ側とは、連続して配置されている。
【００２３】
放充電方向表示部６０は、指針１２が動力状態の値を指示している場合に、残量状態表示部５０から発電状態表示部４０への方向（放電方向）の流れを示し、指針１２が発電状態の値を指示している場合に発電状態表示部４０から残量状態表示部５０への方向（充電方向）の流れを示す。放充電方向表示部６０は、発電状態表示部４０の目盛４２ｂ側と残量状態表示部５０の記号５３ａおよび目盛５２ａ側との間に設けられる。放充電方向表示部６０は、例えば流れの方向に向う示す矢印６１や、この矢印６１の方向に沿って順次発光ダイオードで矢印６１を照明することにより、放電方向および充電方向を示す。
【００２４】
このような本実施形態における表示装置１においては、発電状態表示部４０の最大値と、残量状態表示部５０の最小値とが連続し配置され、隣接しているため、指針１２が発電状態表示部４０を指示している場合には電力がバッテリに充電されていることを視覚的に認識させることができる。また、表示装置１は、放充電方向表示部６０を有しているため、指針１２が動力状態表示部３０を指示している場合にはバッテリが放電し、指針１２が発電状態表示部４０を指示している場合にはバッテリが充電していることをより直感的に認識させることができる。
【００２５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００２６】
例えば、動力状態表示部３０、発電状態表示部４０および残量状態表示部５０は、いずれも指針式表示部１１で実現されてもよいし、または表示パネル１０で実現されてもよい。
【００２７】
また、動力状態表示部３０と発電状態表示部４０は、共通の指針１２で指示できれば、動力状態表示部３０の最小値と発電状態表示部４０の最小値とを示す目盛３２ａ、４２ａが共通の目盛である必要はなく、各表示部４０、５０の間に空間があってもよい。
【００２８】
さらに、放充電方向表示部６０は省略してもよい。その場合、発電状態表示部４０と残量状態表示部５０は、発電状態表示部４０の最大値と残量状態表示部５０の最小値とが隣接して配置されていればよく、各表示部３０、４０の間に空間があってもよい。
【００２９】
さらにまた、放充電方向表示部６０は、残量状態表示部５０に重畳して設けられてもよい。図３は、表示器２の他の表示例を示す説明図である。表示装置１は、放充電方向表示部６０が残量状態表示部５０に重畳して設けられた場合であっても、上述した図２の態様と同様の効果を奏することができる。また、図３に示すように、流れの上流から下流に向けて寸法を段階的に大きくした記号６２で、放電方向および充電方向を示してもよい。この場合も、流れの方向に沿って記号６２を順次発光ダイオードで照明することが好ましい。
【００３０】
さらにまた、残量状態表示部５０は、発電状態表示部４０と連続しているよう視覚的に認識させることができれば、同一円周に沿って配置されている必要はない。図４は、表示器２のさらに他の表示例を示す説明図である。例えば図４に示すように、残量状態表示部５０は、発電状態表示部４０と連続し配置されて、隣接していれば、任意の位置に設けられてもよく、また直線的に設けられてもよい。また、動力状態表示部３０および発電状態表示部４０を直線的に設け、指針１２を直線的に移動させてもよい。
【符号の説明】
【００３１】
１  車両用表示装置（表示装置）
２  表示器
３  入力装置
４  表示制御装置
１０  表示パネル
１１  指針式表示部
１２  指針
１３  表示板
１４  バックライト
１５  記憶部
２０  ＣＡＮバス
２１  バッテリ制御装置
２２  メインスイッチユニット
２３  ＥＣＵ
３０  動力状態表示部
３１、３１ａ、３１ｂ  数値
３２、３２ａ、３２ｂ、４２、４２ａ、４２ｂ、５２、５２ａ、５２ｂ  目盛
４０  発電状態表示部
５０  残量状態表示部
５３ａ、５３ｂ  記号
５４  バー
６０  放充電方向表示部
６１  矢印
６２  記号
【図１】
2019038452.tif 000003
【図２】
2019038452.tif 000004
【図３】
2019038452.tif 000005
【図４】
2019038452.tif 000006